(57)【要約】【課題】積層した各表示パネルの位置ずれを補正し、小型軽量で低コストな積層型表示パネルを提供することを目的とする。【解決手段】第１電極基板と、第１電極基板と対向して配置され、第２電極が複数平行して表面に設けられた第２の電極基板と、第１電極基板と前記第２電極基板との間に挟持された表示層と、第１電極と第２電極との間に電圧を印加することにより第１電極と第２電極との対向部分の表示層の画素に電圧を印加する電圧印加手段と、からなる表示パネルが複数積層され、各表示パネルにおける電圧印加手段を制御することにより表示制御を行う表示制御手段を有する積層型表示パネルにおいて、表示制御手段は、積層方向において全ての表示パネルの画素が存在する領域のみに、積層方向において重なる画素同士を対応付けて表示制御を行うことを特徴とする積層型表示パネル。【選択図】図７
2007094304.tif 000002
【特許請求の範囲】
【請求項１】
複数の第１電極が表面に設けられた第１電極基板と、
前記第１電極と対向して第２電極が表面に設けられた第２電極基板と、
前記第１電極基板と前記第２電極基板との間に設けられ、各第１電極とこれに対向する前記第２電極との挟持部分で画素が形成される表示層と、
からなる表示パネルが複数積層され、
各表示パネルにおける各第１電極と、これに対向する前記第２電極との間に電圧を印加することで前記画素に電圧を印加する電圧印加手段と、
前記電圧印加手段を制御することにより、積層された表示パネルの表示制御を行う表示制御手段を有する積層型表示パネルにおいて、
前記表示制御手段は、積層方向において全ての表示パネルの画素が存在する領域のみで表示すべく、各表示パネルの積層方向に重なる画素同士を対応付けて表示制御を行うことを特徴とする積層型表示パネル。
【請求項２】
前記第１電極基板は、第１電極が複数平行して帯状に表面に設けられており、
前記第２電極基板は、前記帯状の第１電極と交差する方向に帯状の第２電極が複数平行して表面に設けられていることを特徴とする請求項１に記載の積層型表示パネル。
【請求項３】
前記電圧印加手段は、各表示パネルにおける、積層方向において全ての表示パネルの画素が存在する領域の画素に対応する前記第１電極及び前記第２電極だけに接続されていることを特徴とする請求項１または２に記載の積層型表示パネル。
【請求項４】
前記各表示パネルの総画素数は、画像を表示する画素数より大としたことを特徴とする請求項１乃至３の何れか１項に記載の積層型表示パネル。
【請求項５】
前記積層型表示パネルを構成する一つの表示パネルの第１電極に、その他の表示パネルの第１電極を接続することを特徴とする請求項１乃至４の何れか１項に記載の積層型表示パネル。
【請求項６】
前記積層型表示パネルを構成する表示パネルの備える第１電極基板は、同一の電極パターンを有する同一形状の基板から形成されたものであることを特徴とする請求項５に記載の積層型表示パネル。
【請求項７】
前記積層型表示パネルを構成する表示パネルの備える第１電極基板は、最下層の表示パネルの第１電極基板と同一の電極パターンを有する同一形状の基板を、上層の表示パネルの第１電極の長さが、下層の表示パネルの第１電極の長さより短くなるように切断して形成されたものであることを特徴とする請求項６に記載の積層型表示パネル。
【発明の詳細な説明】
【技術分野】
【０００１】
本発明は積層型表示パネルに関する。
【背景技術】
【０００２】
近年、文字や画像等のデジタル化された情報を可視情報として表示する液晶表示装置が種々研究、開発されており、特に、小型・薄型で省エネタイプの携帯用表示端末の要求が強く、フルカラーの良好な再現性も要求されている。
【０００３】
このような表示装置として、例えば、コレステリック液晶やカイラルネマティック液晶の選択反射を利用した反射型液晶表示装置が知られている。この種の液晶表示装置では、赤色表示用、緑色表示用、青色表示用の三つの液晶表示パネルを積層することにより、フルカラー表示を実現することができる。
【０００４】
このように複数の表示パネルを積層してなる積層型の液晶表示素子を含む液晶表示装置に対しても小型化・薄型化が要求される。しかしながら、従来の積層型の液晶表示パネルを含む液晶表示装置は、各液晶表示パネルを駆動するため、駆動ＩＣなどの駆動用の回路部品が必然的に多くなり、小型化・薄型化が不充分であった。
【０００５】
また、この種の液晶表示装置で複数の液晶表示パネルを積層するものにあっては、各パネル間の電極の接続が煩雑であり、効率的な製造方法が求められている。
【０００６】
そのため、それぞれ第１電極及び第２電極を備えた複数の表示パネルを、少なくとも１組の隣接する表示パネルの各第１電極の端子部が互いに向き合うように配置された状態で積層し、互いに向き合う前記第１電極の端子部を直接、又は端子部の間に導電材を挟持することにより電気的に接続する方法が提案されている（例えば特許文献１参照）。
【０００７】
また、各第１電極の端子部が回路基板に向き合うよう表示パネルを配置して積層し、前記第１電極の端子部を直接、又は端子部の間に導電材を挟持することにより回路基板の端子部に接続する方法が提案されている（例えば特許文献２参照）。
【特許文献１】特開２００２−７２２４４号公報
【特許文献２】特開２００２−１０８２４９号公報
【発明の開示】
【発明が解決しようとする課題】
【０００８】
積層型液晶表示パネルにおいては、各表示パネル層相互の貼り合わせ位置調整が困難であり、各表示パネル層の位置ずれによって画素ずれが発生しないようにするために製造時の工数が増大していた。製造時に細心の注意を払っても、各表示パネル層の位置ずれによる不良品が発生し、コストが増大するという問題がある。
【０００９】
しかしながら、特許文献１または特許文献２では、各表示パネル層の位置ずれを補正する方法は開示されておらず、製造時に精密な位置あわせが必要であった。
【００１０】
本発明は、上記課題に鑑みてなされたものであって、積層した各表示パネルの画素が略一致する画素だけを同時に駆動して画像を表示するよう、各表示パネルの駆動開始する画素を変更することにより、小型軽量で低コストな積層型表示パネルを提供することを目的とする。
【課題を解決するための手段】
【００１１】
（１）
複数の第１電極が表面に設けられた第１電極基板と、
前記第１電極と対向して第２電極が表面に設けられた第２電極基板と、
前記第１電極基板と前記第２電極基板との間に設けられ、各第１電極とこれに対向する前記第２電極との挟持部分で画素が形成される表示層と、
からなる表示パネルが複数積層され、
各表示パネルにおける各第１電極と、これに対向する前記第２電極との間に電圧を印加することで前記画素に電圧を印加する電圧印加手段と、
前記電圧印加手段を制御することにより、積層された表示パネルの表示制御を行う表示制御手段を有する積層型表示パネルにおいて、
前記表示制御手段は、積層方向において全ての表示パネルの画素が存在する領域のみで表示すべく、各表示パネルの積層方向に重なる画素同士を対応付けて表示制御を行うことを特徴とする積層型表示パネル。
【００１２】
（２）
前記第１電極基板は、第１電極が複数平行して帯状に表面に設けられており、
前記第２電極基板は、前記帯状の第１電極と交差する方向に帯状の第２電極が複数平行して表面に設けられていることを特徴とする（１）に記載の積層型表示パネル。
【００１３】
（３）
前記電圧印加手段は、各表示パネルにおける、積層方向において全ての表示パネルの画素が存在する領域の画素に対応する前記第１電極及び前記第２電極だけに接続されていることを特徴とする（１）または（２）に記載の積層型表示パネル。
【００１４】
（４）
前記各表示パネルの総画素数は、画像を表示する画素数より大としたことを特徴とする（１）乃至（３）の何れか１項に記載の積層型表示パネル。
【００１５】
（５）
前記積層型表示パネルを構成する一つの表示パネルの第１電極に、その他の表示パネルの第１電極を接続することを特徴とする（１）乃至（４）の何れか１項に記載の積層型表示パネル。
【００１６】
（６）
前記積層型表示パネルを構成する表示パネルの備える第１電極基板は、同一の電極パターンを有する同一形状の基板から形成されたものであることを特徴とする（５）に記載の積層型表示パネル。
【００１７】
（７）
前記積層型表示パネルを構成する表示パネルの備える第１電極基板は、最下層の表示パネルの第１電極基板と同一の電極パターンを有する同一形状の基板を、上層の表示パネルの第１電極の長さが、下層の表示パネルの第１電極の長さより短くなるように切断して形成されたものであることを特徴とする（６）に記載の積層型表示パネル。
【発明の効果】
【００１８】
本発明によれば、各表示パネル層相互の貼り合わせ位置調整が容易になるので、歩留まりが良く低コストな表示パネルを提供することができる。
【発明を実施するための最良の形態】
【００１９】
以下、本発明に係る積層型表示パネルの実施形態について添付図面を参照して説明する。
【００２０】
以下、単純マトリクス駆動によるコレステリック液晶を用いた反射型の液晶表示パネルを例にとって説明する。
【００２１】
（液晶表示素子の基本構成）
図１は、本実施形態に係わる積層型表示パネルの基本構成を説明する説明図である。この積層型表示パネルは、一例として光吸収層８の上に、赤色の選択反射と透明状態の切り換えにより表示を行う赤色表示パネルＲを配し、その上に緑色の選択反射と透明状態の切り換えにより表示を行う緑色表示パネルＧを積層し、さらに、その上に青色の選択反射と透明状態の切り換えにより表示を行う青色表示パネルＢを積層したものである。なお、各表示パネルＲ、Ｇ、Ｂの積層順序はこの実施形態に限られるものではなく、どのような順序でも良い。
【００２２】
各表示パネルＲ、Ｇ、Ｂは、それぞれ透明の第１電極１１、第２電極１２を形成した透明な第１電極基板１、第２電極基板２間に、画素である液晶３を挟持したものである。表示パネルＲには赤色表示用のコレステリック液晶である液晶３ｒが、表示パネルＧには緑色表示用のコレステリック液晶である液晶３ｇが、表示パネルＢには青色表示用のコレステリック液晶である液晶３ｂが挟持されている。なお、第１電極１１、第２電極１２、及び第１電極基板１、第２電極基板２についても、各表示パネルＲ、Ｇ、Ｂごとに、ｒ、ｇ、ｂの添字を付している。
【００２３】
第１電極基板１と第２電極基板２の間には、液晶３を封止するためのシール壁４が設けられている。また、図示を省略しているが第１電極基板１、第２電極基板２間のギャップを定めるためのスペーサを配置している。
【００２４】
本実施形態では、第１電極基板１、第２電極基板２として透明樹脂フィルムなどの可撓性のフィルム基板を使用する。透明樹脂フィルムの材料としては、ポリアリレート樹脂、ポリエーテルスルフォン樹脂、ポリカーボネイト樹脂、ノルボルネン樹脂、非晶質ポリオレフィン樹脂、変性アクリレート樹脂等が挙げられる。また、用途に応じてガラス等の硬質基板を使用することもできる。
【００２５】
必要に応じて、第１電極基板１、第２電極基板２の電極形成面には配向制御膜や絶縁膜などの薄膜が設けられていてもよい。
【００２６】
各表示パネルＲ、Ｇ、Ｂに設けられている第１電極１１、第２電極１２は、それぞれ所定の間隔を保って平行に並べられた複数の帯状電極よりなり、その帯状電極の並ぶ向きが互いに直角方向となるように対向させてある。これら上下の帯状電極により、液晶に電圧を印加することで表示が行われる。
【００２７】
図１に示す積層型表示パネルにおいては、第２電極１２が信号電極、第１電極１１が走査電極とされており、所定の走査電極に選択電圧を印加した状態で、各信号電極に表示すべき画像データに対応した信号電圧を印加することにより、走査電極上に並ぶ各画素の表示が行われる。そして、各走査電極に対して順に選択電圧を印加しながら各信号電極に電圧を印加していくことで表示が行われる（マトリクス駆動）。
【００２８】
各液晶表示パネルＲ、Ｇ、Ｂに含まれる液晶３は、それ自身が室温でコレステリック相を示す液晶や、ネマティック液晶にカイラル材を添加して室温でコレステリック相を示すように調製されたカイラルネマティック液晶であり、上下の第１電極１１、第２電極１２間に印加される電圧に応答して、可視光を透過する透明状態（フォーカルコニック状態）から特定の波長の可視光を選択的に反射する選択反射状態（プレーナ状態）へ、あるいは逆に、選択反射状態から透明状態へと切り替わる。
【００２９】
例えば、表示パネルＢ及び表示パネルＧを透明状態とし、表示パネルＲを選択反射状態とすることにより、赤色表示を行うことができる。また、表示パネルＢを透明状態とし、表示パネルＢ及び表示パネルＲを選択反射状態とすることによりイエローの表示を行うことができる。同様に、各表示パネルＲ、Ｇ、Ｂの状態を透明状態と選択反射状態を適宜選択することにより赤、緑、青、白、シアン、マゼンタ、イエロー、黒の表示が可能である。さらに、各表示パネルＲ、Ｇ、Ｂの状態として、フォーカルコニック状態とプレーナ状態とが混在した状態を選択することにより中間調が表示される。従って、フルカラー表示を行うことができる。
【００３０】
ところで、各表示パネルＲ、Ｇ、Ｂが同じ、又は同程度の電圧で駆動できる場合、一方の電極を各表示パネルで共通化することが可能となる。そこで、本実施形態の積層型表示パネルにおいては、後述するように、各表示パネルの第１電極１１を電気的に接続して走査電極を共通化している。これにより、後述するように、各表示パネルＲ、Ｇ、Ｂの第１電極１１ｒ、１１ｇ、１１ｂは共通の一つの走査駆動回路に接続される。
【００３１】
なお、各表示パネルＲ、Ｇ、Ｂの駆動電圧値を近づけるには、液晶組成物の組成、液層層の厚み、絶縁膜や配向制御膜などの薄膜の種類や厚みを変化させればよい。
【００３２】
次に、本実施形態の積層型表示パネルの構造と第１電極１１、第２電極１２の接続方法を図２〜６を用いて説明する。
【００３３】
図２は本実施形態の積層型液晶パネルにおける第１電極１１の接続方法を説明する説明図である。
【００３４】
なお、以下に説明する本実施形態にあっては同じ部材、部分に関しては同一の符号を付し、重複する説明は省略する。
【００３５】
本発明の実施形態である積層型液晶パネルは、図２に示すように、図１で説明したものと同様の青色を表示する液晶表示パネルＢ、緑色を表示する液晶表示パネルＧ及び赤色を表示する液晶表示パネルＲを積層したものを使用し、第１電極１１ｒの回路パターンを備えた第１電極基板１ｒ上に、第１電極基板１ｇと第１電極基板１ｂを重ねたものである。
【００３６】
図２に示す座標軸のように、紙面上方をＺ軸正方向、右方向をＸ軸正方向とし、紙面に鉛直奥行き方向をＹ軸正方向とする。人はＺ軸正方向から積層型液晶パネルに表示される画像を観察する。
【００３７】
Ｚ軸正方向の観察側から見て、最も背面側に位置する液晶表示パネル（本実施形態では表示パネルＲ）の背面には光吸収層８が設けられている。
【００３８】
本実施形態において、各基板は、軟質材料（例えば、樹脂フィルム）から成る。折り曲げる必要のない基板には、透明な硬質材料（例えば、ガラス材）を用いても良い。各液晶表示パネルの走査電極及び信号電極は、各基板の表面にそれぞれが平行に複数本ずつ、かつ、走査電極と信号電極とが互いに直交するようにＩＴＯやネサ膜等の透明電極材にてスパッタ法や真空蒸着法等を用いて成膜され、エッチングによって所定の間隔で形成される。
【００３９】
次に、図３、図４、図５を用いて第１電極基板１について説明する。
【００４０】
図３は第１電極基板１ｒの構成を説明する説明図である。図３は第１電極基板１ｒを観察面から見た図であり、図２の座標との関係は図３に示すように、紙面上方がＹ軸正方向、右方向をＸ軸正方向、紙面に鉛直手前方向がＺ軸正方向である。
【００４１】
図３において３ｒと表示している第１電極基板１ｒの液晶３ｒを挟持する部分には、第１電極１１ｒが設けられている。図３では、第１電極１１ｒの帯状電極だけを、第１電極１１ｒとして図示している。図３では図示を省略しているが、帯状電極は液晶３ｒを挟持する部分にマトリクス状に配列した第１電極１１ｒに接続している。
【００４２】
１９ｒは第１電極端子部であり、帯状電極の間隔が狭い間隔に変換されている。第１電極端子部１９ｒに熱圧着等で第１電極１１ｒに、図３には図示せぬ第１電極駆動基板２５が接続される。第１電極駆動基板２５は、表示制御手段２６からの制御信号を、各第１電極１１に印加するドライバ回路を搭載している。
【００４３】
第１電極基板１ｂおよび第１電極基板１ｇは第１電極基板１ｒと同一の電極パターンを有する同一形状の基板から形成した基板を切断して作成する。図３の１０ｂの点線は第１電極基板１ｂを作成するときの切断線、１０ｇの点線は第１電極基板１ｇを作成するときの切断線である。
【００４４】
図４は第１電極基板１ｂ、図５は第１電極基板１ｇの構成を説明する説明図である。図４、図５は第１電極基板１ｂ、第１電極基板１ｇを観察面と反対側から見た図であり、図２の座標との関係は図４、図５に示すように、紙面下方がＹ軸正方向、右方向をＸ軸正方向、紙面に鉛直奥行き方向がＺ軸正方向である。
【００４５】
図４、図５において、３ｂ、３ｇと表示している液晶３ｂ、３ｇを挟持する部分には、図示せぬ第１電極１１ｂ、第１電極１１ｇが設けられている。図３と同様に、第１電極１１ｂ、第１電極１１ｇの帯状電極だけを、第１電極１１ｂ、第１電極１１ｇとして図示している。図４、図５では図示を省略しているが、帯状電極は液晶３ｒを挟持する部分にマトリクス状に配列した第１電極１１ｂ、第１電極１１ｇに接続している。
【００４６】
さて、次に図２に示す積層型液晶パネルの製造方法について簡単に説明する。
【００４７】
表示パネルＲ、Ｇ、Ｂはそれぞれ第１電極基板１と第２電極基板２を例えば４μｍの基板間隔で貼り合わせた後、各色の液晶３を注入して作成する。
【００４８】
次に、表示パネルＲの上に表示パネルＧを第１電極基板１ｇが上になるように重ね、第１電極基板１ｒ上の図３に示す帯状の第１電極１１ｒと、対向する第１電極基板１ｇ上の図４に示す帯状の第１電極１１ｇが重なるように位置あわせをし、ＡＣＦ（Ａｎｉｓｏｔｒｏｐｉｃ  Ｃｏｎｄｕｃｔｉｖｅ  Ｆｉｌｍ）などの導電性接着剤を用いて熱圧着する。
【００４９】
本実施形態では、図３〜４で説明したように第１電極基板１ｂ、第１電極基板１ｇは第１電極基板１ｒと同一の電極パターンを有する同一形状の基板を切断して作成するので、帯状の第１電極１１ｒと第１電極１１ｇのＹ軸方向の間隔は全く同じであり、それぞれの基板のＹ軸方向の外形を位置あわせするだけで第１電極１１の位置あわせを精度良く行うことができる。
【００５０】
同様に、表示パネルＧの上に表示パネルＢを第１電極基板１ｂが上になるように重ね、第１電極基板１ｒ上の図３に示す第１電極１１ｒと、対向する第１電極基板１ｂ上の図５に示す第１電極１１ｂが重なるよう帯状の第１電極１１ｒと第１電極１１ｂの外形を位置あわせした後、ＡＣＦなどの導電性接着剤を用いて熱圧着する。
【００５１】
しかしながら、ＡＣＦなどの導電性接着剤を用いて熱圧着すると、特に第１電極基板１が可撓性のフィルム基板の場合は、熱圧着時の熱の影響により第１電極基板１がＸ軸方向に伸縮を起こし、その伸縮の影響により積層型液晶パネルの表示領域で画素ずれが生じやすくなってしまう。この問題については後で詳しく説明する。
【００５２】
図６は本実施形態の積層型表示パネルをＺ軸正方向、すなわち観察面から見た説明図である。
【００５３】
このように、積層型表示パネルの右側の第１電極端子部１９に駆動回路が接続できるようになっている。前述のように第１電極１１ｒ、第１電極１１ｇ、および第１電極１１ｂは導電性接着剤を用いて電気的に接続されているので、第１電極端子部１９に信号を与えることで各色の基板を駆動できる。
【００５４】
一方、Ｙ軸負方向には一番上面の第２電極基板２ｂが図示してあるが、その下部には同一形状の第２電極基板２ｇ、第２電極基板２ｒが配置されている。
【００５５】
１２ｂは液晶３ｂ、３ｇを挟持する部分に配設された第２電極１２ｂに接続している帯状電極の端子部である。この端子部に後述する駆動回路を接続する。同様に第２電極基板２ｇ、第２電極基板２ｒの下部にも第２電極１２ｇ、第２電極１２ｒの端子部があり、それぞれ後述する、本実施形態の電圧印加手段である第２電極駆動ＩＣ２０を接続する。
【００５６】
図７は本実施形態の積層型表示パネルで画素ずれが発生した場合を説明する説明図である。
【００５７】
図４で説明したように、各層の第１電極基板１をＡＣＦ等で熱圧着すると、特に基板が可撓性のフィルム基板の場合は熱圧着時の熱の影響により基板が伸縮を起こす。その伸縮の影響により積層デバイスの表示領域で、画素ズレが発生した一例を説明する。
【００５８】
図７のように、表示パネルＲに対して表示パネルＧがＸ軸正方向に１画素、表示パネルＢがＸ軸正方向に２画素ずれているものとする。この場合、表示パネルＢのＸ軸正方向にずれている２画素分と、表示パネルＧのＸ軸正方向にずれている１画素分は積層した３層の画素が重なっていない為、正しい表示を行うことが出来ない。また、Ｘ軸負方向についても同様に、表示パネルＲのＸ軸負方向に飛び出した２画素分と、表示パネルＧの１画素分は積層した３層の画素が重なっていない為、画素ずれが発生し正しい表示を行うことが出来ない。
【００５９】
画素ずれの無い画像を表示するためには、積層方向にすべての表示パネルの画素が重なっている領域、すなわち図７に示す「画素一致領域」の画素だけを用いて画像を表示する必要がある。以下、３層の画素が重なっている部分を「画素一致領域」と呼ぶ。
【００６０】
本実施形態では、画素一致領域以外の外端領域の画素は捨て領域と考え、画素一致領域だけに画像を表示する。そのため、表示パネルＲ、Ｇ、Ｂの総画素数は、画素一致領域の画素数に画素ずれのため捨て領域となる画素数を加え、画像を表示する画素数より多くしている。
【００６１】
このような積層型表示パネルに画像を表示する際には、各層の画素一致領域の対応する各色の画素を順次駆動する必要がある。
【００６２】
本実施形態では図７のＸ軸負方向（紙面左側）の画素から表示を開始し、順次Ｘ軸正方向（紙面右側）の画素を表示するものとして説明する。例えば、表示パネルＲの場合は、画素一致領域の画素は紙面の左から３番目の画素から右端の画素である。したがって、表示パネルＲの場合は、左から３番目の画素から右端の画素まで順次第２電極１２ｒに所定の電圧を印加すれば良い。
【００６３】
同様に、表示パネルＧの場合は、表示パネルＲの左から３番目の画素に所定の電圧を印加したとき、左から２番目の画素に所定の電圧を印加し、右から２番目の画素まで第２電極１２ｇに所定の電圧を順次印加して駆動する。
【００６４】
また同様に、表示パネルＢの場合は、表示パネルＲの左から３番目の画素に所定の電圧を印加したとき、左端の画素に所定の電圧を印加し、右から３番目の画素まで第２電極１２ｂに所定の電圧を順次印加して駆動する。
【００６５】
次に、図８と図９を用いて、全体構成と第２電極１２の駆動について説明する。
【００６６】
図８は本実施形態において、第２電極１２を駆動する第２電極駆動基板２１を説明する説明図、図９は本実施形態における積層表示パネルの全体構成を説明する説明図である。
【００６７】
図９の表示制御手段２６は、第１電極駆動基板２５に接続されていて、第１電極駆動基板２５に搭載された図示せぬドライバ回路に制御信号を与える。また、表示制御手段２６は、第２電極駆動基板２１ｂ、２１ｇ、２１ｒに接続されていて、表示制御手段２６に入力されたＲ、Ｇ、Ｂ毎の画像信号に基づいて、表示制御手段２６は出力端子から各第２電極駆動基板２１に搭載された各第２電極駆動ＩＣ２０に順次印加する所定の電圧を発生する。
【００６８】
第２電極駆動ＩＣ２０は、第２電極駆動ＩＣ２０に入力された表示制御手段２６が発生するＲ、Ｇ、Ｂ毎の画像信号と制御信号に基づいて、出力端子から第２電極１２に順次電圧を印加する。第２電極駆動ＩＣ２０は、本実施形態の電圧印加手段である。第２電極駆動ＩＣ２０の出力端子を、画像を表示する画素の第２電極１２にそれぞれ接続すると、対応する画素に画像を表示するための所定の電圧が印加される。なお、本実施形態では、第２電極駆動ＩＣ２０は画素一致領域の画素数分しか出力端子を有していないものとする。
【００６９】
第２電極駆動基板２１は第２電極駆動ＩＣ２０を搭載するフレキシブル基板であり、一端に第２電極１２に接続するための端子部が設けられている。第２電極駆動基板２１は表示パネル毎に必要であり、Ｒ、Ｇ、Ｂそれぞれの第２電極基板２の端子部に、第２電極駆動基板２１の端子部をＡＣＦ等で熱圧着する。このとき、それぞれの表示パネルの画素一致領域の画素が第２電極駆動ＩＣ２０の出力端子に接続されるように、端子部の位置あわせをしてから熱圧着する。
【００７０】
たとえば、図７で説明した例では、表示パネルＲの画素一致領域の画素は、左から３番目の画素から右端の画素であるから、該当する画素の第２電極１２ｒの端子部に第２電極駆動基板２１ｒの端子部が接続するよう位置あわせを行って貼り合わせ熱圧着する。
【００７１】
このように、本実施形態では第２電極基板２は各層の表示パネル毎に第２電極駆動ＩＣ２０を接続し、第１電極基板１のＸ軸方向の位置ずれを各表示パネルの駆動電圧を印加する画素を各表示パネル毎に選択することにより調整するので、本実施形態ではＸ軸方向の各表示パネル層相互の貼り合わせ位置調整が可能になる。
【００７２】
以上、このように積層した表示パネルの位置にずれが発生した場合でも、各表示パネルの駆動電圧を印加する画素を各表示パネル毎に選択することにより、画素一致領域の画素だけを順次駆動電圧を印加して画像を表示するので、各表示パネル層相互の貼り合わせ位置調整が可能になり、歩留まりが良く低コストな表示パネルを提供することができる。
【００７３】
なお、本実施形態では第２電極駆動基板２１ｒの端子部と第２電極１２の端子部の位置を調整して接続しているが、電気的なスイッチング素子を用いて接続する端子を切り替えるようにしても良い。また、遅延回路等を用いて表示パネルの位置ずれに相当する時間、駆動電圧を印加するタイミングを調整しても良い。
【００７４】
また、本実施形態では単純マトリクス駆動方式の液晶表示パネルに適用したが、本発明は単純マトリクス駆動方式に限定されるものではなく、例えばアクティブマトリクス駆動方式の液晶表示パネルにも適用できる。
【図面の簡単な説明】
【００７５】
【図１】本発明の実施形態の液晶表示装置に用いられる積層型表示パネルの基本構成である。
【図２】本実施形態の積層型液晶パネルにおける第１電極１１の接続方法を説明する説明図である。
【図３】第１電極基板１ｒの構成を説明する説明図である。
【図４】本実施形態の第１電極基板１ｂの構成を説明する説明図である。
【図５】本実施形態の第１電極基板１ｇの構成を説明する説明図である。
【図６】本実施形態の積層型表示パネルをＺ軸方向、すなわち観察面から見た説明図である。
【図７】本実施形態の積層型表示パネルで画素ずれが発生した場合を説明する説明図である。
【図８】本実施形態において、第２電極１２を駆動する第２電極駆動基板２１を説明する説明図である。
【図９】本実施形態における積層表示パネルの全体構成を説明する説明図である。
【符号の説明】
【００７６】
１  第１電極基板
２  第２電極基板
３  液晶
４  シール壁
８  光吸収層
１１  第１電極
１２  第２電極
１９  第１電極端子部
２０  第２電極駆動基板
２１  第２電極駆動ＩＣ
【図１】
2007094304.tif 000003
【図２】
2007094304.tif 000004
【図３】
2007094304.tif 000005
【図４】
2007094304.tif 000006
【図５】
2007094304.tif 000007
【図６】
2007094304.tif 000008
【図７】
2007094304.tif 000009
【図８】
2007094304.tif 000010
【図９】
2007094304.tif 000011